(57)【要約】【課題】部品点数を削減することでコストダウンを図ると共に、組立作業を簡略化することで組立工数の低減を図ることができ、且つ、光漏れを確実に防止しつつ、１つの光源で複数の操作ボタンを照明可能とするプッシュ式スイッチを提供する。【解決手段】各操作ボタン２が、不透明な中空部材からなる操作方向に長尺な第１スライダ２２の前端部を、前面に表示面２３を有する操作ノブ２１で閉塞するように一体化して形成され、スイッチケース３に、各操作ボタン２対応した複数の不透明な中空部材からなる操作方向に長尺な第２スライダ３１を、それぞれ後端部が当該スイッチケース３の背面側に位置する状態で一体化して収納部３２を形成し、隣接する第２スライダ３１、３１の後端部側に、光源４から出射される光を分岐して、それぞれ対応する表示面２３へ反射させる反射面３４、３５を設けるようにした。【選択図】図２
2013175333.tif 000002
【特許請求の範囲】
【請求項１】
スイッチケースに形成された収納部に、前面に表示面が形成された複数の操作ボタンを操作方向に沿って摺動可能に収納保持し、前記スイッチケースにおける前記収納部より背面側に配置された光源から出射される光を、前記操作ボタンの表示面に背面側から照射して、当該表示面を透過照明するように構成されたプッシュ式スイッチにおいて、
各前記操作ボタンが、
不透明な中空部材からなる前記操作方向に長尺な第１スライダと、
前面に形成された前記表示面の少なくとも一部が透明な部材からなり、前記第１スライダの前端部を閉塞する操作ノブと、を一体化して形成され、
前記スイッチケースが、
各前記操作ボタンに対応して設けられ、不透明な中空部材からなる前記操作方向に長尺な第２スライダを、後端部が当該スイッチケースの背面側に位置する状態で一体化して形成される前記収納部と、
隣接する複数の前記第２スライダにおける後端部側に設けられ、前記光源から出射される光を分岐して、それぞれ対応する当該複数の前記第２スライダにおける前端部方向へ反射させる反射面と、
を設けると共に、
前記光源を前記スイッチケースの背面側における前記反射面に対応した位置に配置し、
各前記操作ボタンを、前記第１スライダが前記第２スライダを覆うように当該第２スライダの前記前端部側から係合させ、前記スイッチケースの対応する収納部に収納保持した状態で、前記光源から出射される光を前記反射面にて分岐した後、各々対応する前記第２スライダの前端部方向へ反射させ、当該対応する前記第２スライダ内の中空部および前記第１スライダ内の中空部を順次通して前記表示面の背面側へ照射させる
ことを特徴とするプッシュ式スイッチ。
【請求項２】
前記反射面は、
前記隣接する複数の前記第２スライダの後端部間に前記光源と対峙する方向へ向かって配置され、当該光源の光軸に対して所定の角度をなす第１反射面と、
前記隣接する複数の前記第２スライダの後端部に前記第１反射面と対峙する方向に向かって配置され、当該第１反射面にて分岐される前記光源から出射された光の光軸に対して所定の角度をなす第２反射面と、
を備え、
前記光源から出射された光を、前記第１の反射面にて分岐して、それぞれ対応する前記第２反射面へ反射させた後、当該第２反射面にて対応する前記複数の前記第２スライダにおける前端部方向へ反射させる
ことを特徴とする請求項１に記載のプッシュ式スイッチ。
【請求項３】
前記スイッチケースの背面側に配設され、前記光源と、各前記操作ボタンに対応した複数のスイッチ素子と、を設けた基板を備える
ことを特徴とする請求項１又は２に記載のプッシュ式スイッチ。
【請求項４】
前記スイッチケースが、
前記背面側に向かって開口された開口部分を閉塞するカバー部材を備え、
前記スイッチケースの内部に配置する前記基板を、前記カバー部材によって前記スイッチケースに固定保持する
ことを特徴とする請求項３に記載のプッシュ式スイッチ。
【請求項５】
前記第１スライダの前記第２スライダと摺接する内周面には、前記操作方向に沿った直線状にガイド凸部が敷設され、
前記第２スライダの前記第１スライダと摺接する外周面には、前記操作方向に沿った直線状に前記ガイド凸部に対応したガイド凹部が敷設される
ことを特徴とする請求項１〜４のいずれか一項に記載のプッシュ式スイッチ。
【請求項６】
各前記操作ボタンは、それぞれ前記操作ノブの前記表示面における前記一部が当該操作ボタンによる操作内容を示す表示部をなし、当該表示部を除く部位を、遮光性を有する材料によって遮光する
ことを特徴とする請求項１〜５のいずれか一項に記載のプッシュ式スイッチ。
【発明の詳細な説明】
【技術分野】
【０００１】
本発明は、各種操作パネルに設けられるプッシュ式スイッチに関し、とりわけ、操作ボタン前面の表示面を背面側から透過照明するよう構成されたプッシュ式スイッチに適用して好適なものである。
【背景技術】
【０００２】
従来、プッシュ式スイッチとしては、例えば車載用オーディオコントロールパネルにおけるモード切替用のプッシュ式スイッチ等が知られている。この種のプッシュ式スイッチは、前面に表示面が形成された操作ボタンと、該操作ボタンを操作方向に沿って摺動可能に収納保持するスイッチケースとを備えて構成されている。また、スイッチケースの背面側にはＬＥＤ（Light Emitting Diode：発光ダイオード）等を用いた光源が配置され、当該光源から出射される光が、操作ボタン前面の表示面における背面側に照射されることで、当該表示面が背面側から透過照明されるようになっており、夜間等の暗い状況下においても表示面を視認することが可能となっている。
【０００３】
具体的に、かかるプッシュ式スイッチは、操作ボタンが前面の表示面が形成された操作ノブと、当該操作ノブから後方に向かって延設される矩形状等の筒状で形成されたスライダとを、組付一体化することで形成されている。すなわち、操作ボタン前面の表示面を構成する操作ノブはスライダの前面部に被冠された状態で組み付けられている。また、樹脂等の材料にて一体成型されたスイッチケースには、操作ボタンのスライダに対応した矩形状等の孔状の収納部が形成されている。そして、収納部内にスライダを操作方向へ摺動可能な状態で嵌合させることで、操作ボタンを収納保持させる構成となっている。このとき、スライダは不透明な樹脂等の材料からなり、操作ノブは透明な樹脂等の材料からなると共に、当該操作ノブの表面においては、例えば「ＦＭ／ＡＭ」の文字等が表示された表示部を除く部位に遮光性の塗料等が塗布されることで、操作ノブにおける光漏れを防止するようになっている。
【０００４】
ところで、このようなプッシュ式スイッチでは、操作ボタンがスライダと操作ノブとを組付一体化して構成していたため、部品点数が多くなり、部品コストが掛かると共に、組立時に操作ボタンを組み付けた後、スイッチケースの収納部へ収納（挿入）するという手間が掛かるため、組立工数が多く組立作業が煩雑であることが懸念されていた。
【０００５】
また、スイッチケースと操作ボタンとが別体で構成され、操作ボタンがスイッチケースの収納部内に収納保持される際、当該操作ボタンのスライダ部が収納部によって覆われる構造となっている。このときスイッチケースの収納部では、操作ボタンのスライダを摺動可能に保持する上で所定の隙間が必要となるが、操作ボタンのスライダ部が当該収納部によって覆われる構造であるため、当該隙間はスイッチケース背面側から操作ボタンの操作ノブ側へと開通したものとなる。従って、光源からスライダ内を通過して操作ノブの背面へと照射される光が、スライダと収納部との間の隙間から操作ノブ周囲に漏れるおそれがあった。この場合、スライダと収納部との間の隙間から漏れた光が操作ノブの周囲を光らせることに起因して、表示部の視認性を低下させる等の不具合を招く問題が懸念されていた。
【０００６】
さらに、操作ノブは、表示面が形成される前面とは反対の後面（背面）側に配置されるスライダと組付一体化される構造のため、当該背面側が組み付けられるスライダ側（つまり、スイッチケースの背面側）に向かって開口した形状となっている。このため、光源からスライダ内を通過して操作ノブの背面へと照射された光の一部が、操作ノブを通過（透過）せずに当該操作ノブ内部を操作ノブの形状に沿った経路を経た後、操作ノブ端部から背面側に向かって漏れる場合があり、この結果、操作ノブの周囲を光らせる要因となるおそれもあった。
【０００７】
加えて、スライダが不透明部材を用いて形成される場合であっても、光が反射し易い白色等の色見で形成された場合、光源からの光が反射し易く、前述したスイッチケースの収納部との間の隙間において、光漏れの原因となるおそれがあった。
【０００８】
このような問題点を解決するべく、近年、操作ボタンが、前面の表示面が形成される操作ノブと、当該操作ノブから後方の背面側に向かって矩形状等の筒状に延設して形成されたスライダとが一体的に形成されると共に、スイッチケースが操作ボタンのスライダを操作方向に沿って摺動可能に収納保持するための収納部を有して構成されるプッシュ式スイッチが提案されている（例えば、特許文献１参照）。
【０００９】
このプッシュ式スイッチでは、スイッチケースの収納部が操作ボタンのスライダの形状に対応した矩形状等の形状で、当該スイッチケースの背面側から前方に向かって開口した状態で形成されている。また、スライダの外周面には、操作方向に沿った直線状のガイド凸部が複数箇所に突設され、収納部の内周面には、当該ガイド凸部に対応した直線状のガイド凹部が操作方向に沿って複数箇所に形成されている。これにより、操作ボタンはスライダ外周面のガイド凸部を収納部内周面のガイド凹部に係合させるようにして、当該収納部内に操作方向に沿って摺動可能に収納保持されるようになっている。
【先行技術文献】
【特許文献】
【００１０】
【特許文献１】特開２００７−１４９６１１号公報
【発明の概要】
【発明が解決しようとする課題】
【００１１】
ところで、かかるプッシュ式スイッチでは、操作ボタンがスイッチケースの収納部内に収納保持される際、操作ボタンのスライダが当該収納部によって覆われる構造となっている。従って、このような構造であると、前述した従来のものと同様に、収納部とスライダとの間に形成される隙間は、依然としてスイッチケース背面側から操作ボタンの前面側（操作ノブ側）へと開通したものとなる。このため、スイッチケースの背面側に配置される光源からスライダ内を通過して操作ノブの背面へと照射される光が、スライダと収納部との間の隙間から操作ボタン前面側に漏れるおそれが懸念される。
【００１２】
かかる課題を解決するため、上述の特許文献１におけるプッシュ式スイッチでは、収納部内に操作ボタンのスライダに対応した形状で、光源から前方に向かって開口した遮光リブを突設しており、この遮光リブを操作ボタンのスライダが覆う構造としている。従って、光源と操作ボタンとの間において、前述のような操作ボタン前面へと開通する隙間がなくなることから、スライダと収納部との間の隙間から操作ボタン前面側の操作ノブ周辺に光漏れが生じることを未然に防止することができるようになっている。
【００１３】
しかしながら、この場合、遮光リブが光源から前方へ向かって突設され、且つスライダによって覆われる構造であるため、操作ボタン１つに対して少なくとも１つの光源を設けなければならない。このため、遮光リブや、操作ボタンの数に対応した光源を設ける必要がある分、部品点数の増加及びそれに伴う部品コスト増を招くと共に、組立作業において操作ボタン毎に遮光リブや光源を配置するという手間が掛かるため、組立工数が多く組立作業が煩雑となる未だ不十分な問題があった。
【００１４】
そこで、本発明は上述した問題点に鑑みてなされたもので、部品点数を削減することでコストダウンを図ると共に、組立作業を簡略化することで組立工数の低減を図ることができ、且つ、光漏れを確実に防止しつつ、１つの光源で複数の操作ボタンを照明可能とするプッシュ式スイッチを提供することを目的とする。
【課題を解決するための手段】
【００１５】
上記課題を解決するために、請求項１に記載の発明は、スイッチケースに形成された収納部に、前面に表示面が形成された複数の操作ボタンを操作方向に沿って摺動可能に収納保持し、前記スイッチケースにおける前記収納部より背面側に配置された光源から出射される光を、前記操作ボタンの表示面に背面側から照射して、当該表示面を透過照明するように構成されたプッシュ式スイッチにおいて、
各前記操作ボタンが、
不透明な中空部材からなる前記操作方向に長尺な第１スライダと、
前面に形成された前記表示面の少なくとも一部が透明な部材からなり、前記第１スライダの前端部を閉塞する操作ノブと、を一体化して形成され、
前記スイッチケースが、
各前記操作ボタンに対応して設けられ、不透明な中空部材からなる前記操作方向に長尺な第２スライダを、後端部が当該スイッチケースの背面側に位置する状態で一体化して形成される前記収納部と、
隣接する複数の前記第２スライダにおける後端部側に設けられ、前記光源から出射される光を分岐して、それぞれ対応する当該複数の前記第２スライダにおける前端部方向へ反射させる反射面と、
を設けると共に、
前記光源を前記スイッチケースの背面側における前記反射面に対応した位置に配置し、
各前記操作ボタンを、前記第１スライダが前記第２スライダを覆うように当該第２スライダの前記前端部側から係合させ、前記スイッチケースの対応する収納部に収納保持した状態で、前記光源から出射される光を前記反射面にて分岐した後、各々対応する前記第２スライダの前端部方向へ反射させ、当該対応する前記第２スライダ内の中空部および前記第１スライダ内の中空部を順次通して前記表示面の背面側へ照射させることを特徴とする。
【００１６】
請求項２に記載の発明は、請求項１に記載のプッシュ式スイッチにおいて、
前記反射面は、
前記隣接する複数の前記第２スライダの後端部間に前記光源と対峙する方向へ向かって配置され、当該光源の光軸に対して所定の角度をなす第１反射面と、
前記隣接する複数の前記第２スライダの後端部に前記第１反射面と対峙する方向に向かって配置され、当該第１反射面にて分岐される前記光源から出射された光の光軸に対して所定の角度をなす第２反射面と、
を備え、
前記光源から出射された光を、前記第１の反射面にて分岐して、それぞれ対応する前記第２反射面へ反射させた後、当該第２反射面にて対応する前記複数の前記第２スライダにおける前端部方向へ反射させることを特徴とする。
【００１７】
請求項３に記載の発明は、請求項１又は２に記載のプッシュ式スイッチにおいて、
前記スイッチケースの背面側に配設され、前記光源と、各前記操作ボタンに対応した複数のスイッチ素子と、を設けた基板を備えることを特徴とする。
【００１８】
請求項４に記載の発明は、請求項３に記載のプッシュ式スイッチにおいて、
前記スイッチケースが、
前記背面側に向かって開口された開口部分を閉塞するカバー部材を備え、
前記スイッチケースの内部に配置する前記基板を、前記カバー部材によって前記スイッチケースに固定保持することを特徴とする。
【００１９】
請求項５に記載の発明は、請求項１〜４のいずれか一項に記載のプッシュ式スイッチにおいて、
前記第１スライダの前記第２スライダと摺接する内周面には、前記操作方向に沿った直線状にガイド凸部が敷設され、
前記第２スライダの前記第１スライダと摺接する外周面には、前記操作方向に沿った直線状に前記ガイド凸部に対応したガイド凹部が敷設されることを特徴とする。
【００２０】
請求項６に記載の発明は、請求項１〜５のいずれか一項に記載のプッシュ式スイッチにおいて、
各前記操作ボタンは、それぞれ前記操作ノブの前記表示面における前記一部が当該操作ボタンによる操作内容を示す表示部をなし、当該表示部を除く部位を、遮光性を有する材料によって遮光することを特徴とする。
【発明の効果】
【００２１】
本発明によれば、複数の操作ボタンを、それぞれ不透明な中空部材からなる操作方向に長尺な第１スライダと、前面に形成された表示面の少なくとも一部が透明な部材からなり、第１スライダの前端部を閉塞する操作ノブと、を一体化して形成するため、各操作ボタンにおける部品点数を削減することができる。また、複数の操作ボタンに対応して設けられ、不透明な中空部材からなる操作方向に長尺な第２スライダを、後端部が当該スイッチケースの背面側に位置する状態でスイッチケースと一体化して形成される収納部と、隣接する複数の第２スライダにおける後端部側に設けられ、光源から出射される光を分岐して、それぞれ対応する当該複数の第２スライダにおける前端部方向へ反射させる反射面と、を設けてスイッチケースを形成するため、スイッチケースにおける部品点数を削減することができる。これと共に、光源をスイッチケースの背面側における反射面に対応した位置に配置することにより、操作ボタンの数に応じて光源を設ける必要がない分、光源における部品点数を削減することができる。このように、各構成部品における部品点数を削減することでコストダウンを図ることができると共に、部品点数が削減できる分、組立作業を容易にすることで組立工数の低減を図ることができる。
【００２２】
また、各操作ボタンを、第１スライダが第２スライダを覆うように当該第２スライダの前端部側から係合させ、スイッチケースの対応する収納部に収納保持した状態で、光源から出射される光を反射面にて分岐した後、各々対応する第２スライダの前端部方向へ反射させ、当該対応する第２スライダ内の中空部および第１スライダ内の中空部を順次通して表示面の背面側へ照射させるため、１つの光源で複数の操作ボタンを照明することができる。このとき、各操作ボタンと収納部との間において光漏れの原因となっていた操作ボタンの前面側へ開通する従来のような隙間を排除することができるため、光源から出射される光を、表示面の背面側へ照射させる際の光漏れを確実に防止できる。
【００２３】
かくして、部品点数を削減することでコストダウンを図ると共に、組立作業を簡略化することで組立工数の低減を図ることができ、且つ、光漏れを確実に防止しつつ、１つの光源で複数の操作ボタンを照明可能とするプッシュ式スイッチの提供を実現できる。
【図面の簡単な説明】
【００２４】
【図１】本発明の一実施形態におけるプッシュ式スイッチの概略正面図である。
【図２】図１のプッシュ式スイッチにおけるＡ−Ａ線断面を示す概略断面図である。
【図３】操作ボタンを背面側から見て概略的に示す拡大斜視図である。
【図４】スイッチケースの第２スライダを前面から見て概略的に示す拡大斜視図である。
【図５】図１のプッシュ式スイッチにおけるＢ−Ｂ線断面を示す概略断面図である。
【発明を実施するための形態】
【００２５】
以下、本発明の一実施形態について、図面を参照して詳細に説明する。
【００２６】
図１は、本発明に係るプッシュ式スイッチ１の概略正面図であり、図２は、図１のプッシュ式スイッチ１におけるＡ−Ａ線断面を示す概略断面図であり、図３は、操作ボタン２を背面側から見て概略的に示す拡大斜視図であり、図４は、スイッチケース３の第２スライダ３１を前面から見て概略的に示す拡大斜視図であり、図５は、図１のプッシュ式スイッチ１におけるＢ−Ｂ線断面を示す概略断面図である。なお、図２及び図５において、紙面左側がプッシュ式スイッチ１の前面側を示し、紙面右側が背面側を示す。また、本明細書にて使用する操作方向とは、かかるプッシュ式スイッチ１における前面側と背面側とを結ぶ方向を意味するものとする。また、本発明はプッシュ式スイッチ１の構造に特徴を有するものであり、スイッチとしての機能は、既存の各種スイッチを広く適用するものであるため、その具体的な説明は割愛するものとする。
【００２７】
図１及び図２に示すように、本実施形態に係るプッシュ式スイッチ１は、例えば、車載用オーディオコントロールパネル等に設けられるものであって、大別すると、操作ボタン２と当該操作ボタン２を収納するスイッチケース３とを備えると共に、当該スイッチケース３の背面側にＬＥＤ（Light Emitting Diode：発光ダイオード）等を用いた光源４を実装した基板５を備えて構成されている。また、基板５には、操作ボタン２によって操作するタクトスイッチ等のスイッチ素子６が実装されている（後述の図５参照）。
【００２８】
具体的に操作ボタン２は、前面に配置される操作ノブ２１に表示面２３が形成されており、当該表示面２３の少なくとも一部は、透明な樹脂材料等によって形成されている。そして、当該一部は、例えば、「ＦＭ／ＡＭ」や「ＤＩＳＣ」等の文字からなる操作ボタン２の操作内容を示す表示部２４をなしている。本実施形態の場合、操作ノブ２１は、透明な樹脂材料によって形成され、表示面２３の表示部２４を除く部位が、遮光性を有する材料によって遮光されている。具体的には、表示部２４を除く部位に、遮光性塗料を塗布することにより、表示部２４を除いた操作ノブ２１の表示面２３における光漏れの防止を図っている。
【００２９】
また、操作ボタン２は、不透明な樹脂製（本実施形態の場合、黒色の樹脂製）等の中空部材からなる操作方向に長尺な第１スライダ２２を備えている。そして、当該第１スライダ２２を、操作ノブ２１の背面側に延設した状態で一体化して設けることにより、操作ボタン２が形成されている。換言すれば、操作ボタン２は、第１スライダ２２と、当該第１スライダ２２の前端部を閉塞する操作ノブ２１と、を一体化して構成されている。
【００３０】
スイッチケース３は、操作ボタン２に対応して（本実施形態の場合、操作方向に対して直交する上下方向に２つ）設けられ、不透明な樹脂製（本実施形態の場合、白色の樹脂製）等の中空部材からなる操作方向に長尺な第２スライダ３１を、当該第２スライダ３１の後端部がスイッチケース３の背面側に位置する状態で一体化して形成される収納部３２を備えている。すなわち、スイッチケース３は第２スライダ３１を一体的に設けることで収納部３２を形成している。また、隣接する第２スライダ３１、３１間には、収納部３２を区画する仕切り部３３がスイッチケース３と一体に設けられている。そして、スイッチケース３は、第２スライダ３１が操作ボタン２の第１スライダ２２によって覆われるように係合されることで、当該操作ボタン２を収納部３２に操作方向に対して摺動可能に収納保持するようになっている。
【００３１】
また、スイッチケース３は、隣接する複数（本実施形態の場合、２つ）の第２スライダ３１、３１における後端部間に、光源４と対峙する方向へ向かって配置され、当該光源４の光軸に対して所定の角度をなす第１反射面３４を設けている。また、隣接する複数の第２スライダ３１，３１の後端部に第１反射面３４と対峙する方向に向かって配置され、当該第１反射面３４にて分岐される光源４から出射された光の光軸に対して所定の角度をなす第２反射面３５を設けている。換言すれば、本実施形態の場合、第２スライダ３１は、第１反射面３４が形成された後端部（他の第２スライダ３１と隣接する後端部側）と対向する反対側の後端部が、当該第１反射面３４と対峙する方向に向けて傾斜した状態でスイッチケース３内に延設されることで第２反射面３５を形成している。さらに、スイッチケース３の背面側に配設された基板５において、第２スライダ３１の第１反射面３４に対応した位置に光源４を配置しており、当該光源４から出射された光を、第１の反射面３４にて分岐して、それぞれ対応する第２反射面３５へ反射させた後、当該第２反射面３５にて対応する複数の第２スライダ３１，３１における前端部方向へ反射させるようになっている。因みに、これら第１及び第２反射面３４、３５は、第２スライダ３１を型抜き成形する際の金型における当該第１及び第２反射面３４、３５に対応する部位を略平坦に形成しておくことによって、成形後の第２スライダ３１における対応部位が略平坦に成形される（すなわち、鏡面状のような平坦な面で成形される）ため、容易に形成することができる。
【００３２】
さらに、図３及び図５に示すように、操作ボタン２の背面側における所定位置、すなわちスイッチケース３の背面側に配設される基板５に実装されたスイッチ素子６と対応する位置には、当該スイッチケース３の背面側に向かって突出した押圧部２５が突設されている。また、操作ボタン２の中空状態である第１スライダ２２の内周面２２ａ（換言すれば、第１スライダ２２の第２スライダ３１と摺接する内周面２２ａ）には、操作方向（図２及び図５の紙面における左右方向）に沿った直線状のガイド凸部２６が内周側へ向かって突出した状態で敷設されている。
【００３３】
また、図４に示すように、スイッチケース３の収納部３２における中空状態である第２スライダ３１の第１スライダ２２と摺接する外周面３１ａには、ガイド凸部２６に対応する操作方向に沿った直線状の溝からなるガイド凹部３６が敷設されている。従って、これら第１スライダ２２のガイド凸部２６と、収納部３２のガイド凹部３６と、が係合されることにより、操作ボタン２を操作方向に沿ってガイド（案内）しながら、当該収納部３２内に摺動可能に収納保持させることができるようになっている。
【００３４】
さらに、本実施形態のプッシュ式スイッチ１では、図２及び図５に示すように、スイッチケース３が、背面側に向かって開口された開口部分を閉塞するカバー部材３７を備えている。換言すれば、スイッチケース３は、背面側に向かって開口した開口部分がカバー部材３７によって閉塞されている。このとき、スイッチケース３の内部（すなわち、開口部分内）に配置された基板５は、カバー部材３７によってスイッチケース３内に固定保持される。このため、基板５を固定保持するために新たな部品を設けることなく、当該基板５をスイッチケース３内に固定保持できる。これにより、更なる部品点数の削減を図ることができる。
【００３５】
このような構成のプッシュ式スイッチ１において、操作ボタン２は、図２（図５）に示すように、操作ノブ２１の内部に位置する第１スライダ２２の内周面２２ａを、第２スライダ３１の外周面３１ａに前面側から嵌め込むことによって収納部３２に組み付けられ、第１スライダ２２の内周面２２ａに形成されたガイド凸部２６を、第２スライダ３１における第１スライダ２２との摺動面をなす外周面３１ａに形成されたガイド凹部３６に係合することによって、操作ボタン２が収納部３２に摺動可能に収納保持される。
【００３６】
なお、ここで、操作ノブ２１の外周面に外周に向かって突出する不図示の係合突部を設けると共に、スイッチケース３の収納部３２における操作ノブ２１との対応部分に、当該係合突部と係合する不図示の係合爪を設ける用にしてもよい。そして、当該係合突部を係合爪を乗り越えて係合させておくことで、操作ボタン２はガイド凹部３６に沿って操作方向（スイッチケース３の前後方向）に所定量だけ摺動可能であると共に、係合突部が係合爪によって係止されるため、スイッチケース３からの脱落が防止される。また、操作ボタン２はスプリング等の不図示の付勢手段によって常時前方に付勢されており、その操作ノブ２１はスイッチケース３から前方へと突出した状態で車室内に露出するようになっている。
【００３７】
従って、ユーザ(この場合、プッシュ式スイッチ１が搭載された車両の乗員)が、操作ボタン２の操作ノブ２１を押圧することによって、操作ボタン２が不図示の付勢手段の付勢力を抗してスイッチケース３の背面側へとスライド（摺動）し、当該操作ボタン２の押圧部２５によってスイッチ素子６が動作して、例えば、ＦＭ放送とＡＭ放送の切り替えがなされる。また、夜間等において当該車両のヘッドライトを点灯した場合、この点灯動作に連動して光源４が通電されて発光する。
【００３８】
このとき、光源４から出射される光が、図２に矢印にて示すように、第２スライダ３１の第１反射面３４及び第２反射面３５にて所定方向へ反射され、中空状態の第２スライダ３１内および第１スライダ２２内を順次通して表示面２３の背面側へ照射される。そして、表示面２３の背面側へ照射された光が、操作ボタン２の操作ノブ２１における前面の表示面２３に表示された「ＦＭ／ＡＭ」や「ＤＩＳＣ」等の文字（表示部２４）を透過するため、この表示部２４が照明される。従って、ユーザは夜間等の暗い車室内においても操作ノブ２１の表示面２３に表示される「ＦＭ／ＡＭ」や「ＤＩＳＣ」等の表示部２４を視認することができ、必要に応じて操作ボタン２の操作ノブ２１を押圧して、ＦＭ放送とＡＭ放送の切り替え等を容易に行うことができるようになっている。
【００３９】
また、操作ボタン２を、第１スライダ２２が第２スライダ３１を覆うように係合させて、スイッチケース３の収納部３２に収納保持したため、操作ボタン２と収納部３２との間において光漏れの原因となっていた操作ボタン２の前面側へ開通する従来のような隙間（不図示）を排除することができる。従って、光源４から出射される光を、表示面２３の背面側へ照射させる際の光漏れを確実に防止できるようになっている。
【００４０】
以上、説明した本実施形態のプッシュ式スイッチ１では、複数の操作ボタン２，２が、それぞれ不透明な中空部材からなる操作方向に長尺な第１スライダ２２と、前面に形成された表示面２３の少なくとも一部（表示部２４）が透明な部材からなり、第１スライダ２２の前端部を閉塞する操作ノブ２１と、を一体化して形成されるため、これら操作ボタン２，２における部品点数を削減することができる。また、スイッチケース３が、複数の操作ボタン２，２に対応して設けられ、不透明な中空部材からなる操作方向に長尺な第２スライダ３１を、後端部が当該スイッチケース３の背面側に位置する状態で一体化して形成される収納部３２と、隣接する複数の第２スライダ３１，３１における後端部側に設けられ、光源４から出射される光を分岐して、それぞれ対応する当該複数の第２スライダ３１，３１における前端部方向へ反射させる反射面（第１反射面３４及び第２反射面３５）と、を設けて形成されるため、スイッチケース３における部品点数を削減することができる。これと共に、光源４をスイッチケース３の背面側における反射面（第１反射面３４）に対応した位置に配置することにより、操作ボタン２の数に応じて光源４を設ける必要がない分、光源４における部品点数を削減することができる。このように、各構成部品２，３，４における部品点数を削減することでコストダウンを図ることができると共に、部品点数が削減できる分、組立作業を容易にすることで組立工数の低減を図ることができる。
【００４１】
また、各操作ボタン２，２を、第１スライダ２２が第２スライダ３１を覆うように当該第２スライダ３１の前端部側から係合させ、スイッチケース３の対応する収納部３２に収納保持した状態で、光源４から出射される光を反射面（第１反射面３４及び第２反射面３５）にて分岐した後、各々対応する第２スライダ３１の前端部方向へ反射させ、当該対応する中空状態の第２スライダ３１内および第１スライダ２２内を順次通して
表示面２３の背面側へ照射させるため、１つの光源４で複数の操作ボタン２，２を照明することができる。このとき、各操作ボタン２，２と収納部３２，３２との間において光漏れの原因となっていた操作ボタン２の前面側へ開通する従来のような隙間（不図示）を排除することができるため、光源４から出射される光を、表示面２３の背面側へ照射させる際の光漏れを確実に防止できる。これにより、操作ノブ２１の周囲に光漏れが生じることを未然に回避でき、当該光漏れに起因して操作ノブ２１の表示面２３における表示部２４（例えば、「ＦＭ／ＡＭ」や「ＤＩＳＣ」の文字等からなる操作ボタン２の操作内容）がぼやけて見えることを防止できるため、当該操作ノブ２１（操作ボタン２）における表示部２４の視認性を高めることができる。
【００４２】
かくして、部品点数を削減することでコストダウンを図ると共に、組立作業を簡略化することで組立工数の低減を図ることができ、且つ、光漏れを確実に防止しつつ、１つの光源４で複数の操作ボタン２，２を照明可能とするプッシュ式スイッチ１の提供を実現できる。
【００４３】
また、プッシュ式スイッチ１によれば、隣接する複数の第２スライダ３１，３１の後端部間に光源４と対峙する方向へ向かって配置され、当該光源４の光軸に対して所定の角度をなす第１反射面３４と、隣接する複数の第２スライダ３１，３１の後端部に第１反射面３４と対峙する方向に向かって配置され、当該第１反射面３４にて分岐される光源４から出射された光の光軸に対して所定の角度をなす第２反射面３５と、を備え、光源４から出射された光を、第１の反射面３４にて分岐して、それぞれ対応する第２反射面３５へ反射させた後、当該第２反射面３５にて対応する複数の第２スライダ３１，３１における前端部方向へ反射させるため、１つの光源４で複数の操作ボタン２，２を照明することができる。
【００４４】
また、プッシュ式スイッチ１によれば、スイッチケース３の背面側に配設され、ＬＥＤ等の光源４と、複数の操作ボタン２，２に対応した（すなわち、操作ボタン２の押圧部２５によって押圧される）タクトスイッチ等の複数のスイッチ素子６，６と、を設けた（換言すれば、光源４とスイッチ素子６，６とが実装された）基板５を備えるため、これら光源４やスイッチ素子６，６を１つの基板５に実装することで、部品点数を削減することができる。
【００４５】
しかも、プッシュ式スイッチ１によれば、スイッチケース３が、背面側に向かって開口された開口部分を閉塞するカバー部材３７を備え（換言すれば、スイッチケース３の背面側に向かって開口された開口部分をカバー部材３７によって閉塞し）、スイッチケース３の内部（開口部分内）に配置する基板５を、カバー部材３７によってスイッチケース３に固定保持するため、新たな部品を設けることなく、基板５をスイッチケース３内に固定保持できることにより、更なる部品点数の削減を図ることができる。
【００４６】
さらに、プッシュ式スイッチ１によれば、第１スライダ２２の第２スライダ３１と摺接する内周面２２ａには、操作方向（図２及び図５の紙面における左右方向）に沿った直線状にガイド凸部２６が内周側へ向かって突出した状態で敷設され、第２スライダ３１の第１スライダ２２と摺接する外周面３１ａには、操作方向に沿った直線状に、ガイド凸部２６に対応した矩形状の溝からなるガイド凹部３６が敷設されるため、第１スライダ２２のガイド凸部２６と収納部３２のガイド凹部３６とが係合されることにより、操作ボタン２を操作方向に沿ってガイド（案内）しながら、当該収納部３２内に摺動可能に収納保持させることができる。
【００４７】
さらに、プッシュ式スイッチ１によれば、各操作ボタン２，２は、それぞれ操作ノブ２１の表示面２３における一部が当該操作ボタン２による操作内容を示す表示部２４をなし、当該表示部２４を除く部位を、遮光性を有する材料によって遮光する（本実施形態の場合、遮光性塗料等を塗布する）ことにより、表示部２４を除いた操作ノブ２１の表示面２３における光漏れの防止をより一段と確実にすることができる。
【００４８】
なお、本発明は上述した実施形態に限定して解釈されるべきではなく、適宜変更・改良が可能であることはもちろんである。
【００４９】
例えば、上述の実施形態では、本発明を特に車載用オーディオコントロールパネルに設けられるプッシュ式スイッチ１に対して適用した形態について説明したが、本発明はこれに限らず、例えば車載用エアコンコントロールパネルや、車載に限らず、この他各種操作パネル等に設けられる種々のプッシュ式スイッチに広く適用することができる。
【符号の説明】
【００５０】
１          プッシュ式スイッチ
２          操作ボタン
２１        操作ノブ
２２        第１スライダ
２３        表示面
２４        表示部（表示面の一部）
２５        押圧部
２６        ガイド凸部
３          スイッチケース
３１        第２スライダ
３２        収納部
３３        仕切り部
３４        第１反射面（反射面）
３５        第２反射面（反射面）
３６        ガイド凹部
３７        カバー部材
４          光源
５          基板
６          スイッチ素子
【図１】
2013175333.tif 000003
【図２】
2013175333.tif 000004
【図３】
2013175333.tif 000005
【図４】
2013175333.tif 000006
【図５】
2013175333.tif 000007